(57)【要約】【課題】上り回線における雑音加算を防止する光伝送システムを得る。【解決手段】無線端末３との間でそれぞれ無線通信を行う複数の子局２と、複数の子局２とそれぞれ光ファイバで接続された基地局１とを備えた光伝送システムにおいて、子局２は、受信した無線信号を光信号に変換して、基地局１に伝送する電気光変換部２２を備え、基地局１は、複数の子局２から伝送された光信号を、それぞれ無線信号に変換する光電気変換部１９と、無線信号の受信レベルを検出する受信信号認識部１８と、無線信号が入力され、受信信号認識部１８で検出された受信レベルに基づき、当該無線信号を出力するスイッチ部１７と、スイッチ部１７から出力された無線信号を合成する合波部１６とを備える。【選択図】図１
2008091984.tif 000002
【特許請求の範囲】
【請求項１】
端末との間でそれぞれ無線通信を行う複数の子局と、前記複数の子局とそれぞれ光ファイバで接続された基地局とを備えた光伝送システムにおいて、
前記子局は、
受信した無線信号を光信号に変換して、前記基地局に伝送する電気光変換部を備え、
前記基地局は、
複数の前記子局から伝送された光信号を、それぞれ無線信号に変換する光電気変換部と、
前記無線信号の受信レベルを検出する受信信号認識部と、
前記無線信号が入力され、前記受信信号認識部で検出された受信レベルに基づき、該無線信号を出力するスイッチ部と、
前記スイッチ部から出力された無線信号を合成する合波部と
を備えたことを特徴とする光伝送システム。
【請求項２】
端末との間でそれぞれ無線通信を行う複数の子局と、前記複数の子局とそれぞれ光ファイバで接続された基地局とを備えた光伝送システムにおいて、
前記子局は、
受信した無線信号の受信レベルを検出する受信信号認識部と、
前記無線信号が入力され、前記受信信号認識部で検出された受信レベルに基づき、該無線信号を出力するスイッチ部と、
前記スイッチ部から出力された無線信号を光信号に変換して、前記光ファイバに出力する電気光変換部と
を備え、
前記基地局は、
前記複数の子局から伝送された光信号を、それぞれ無線信号に変換する光電気変換部と、
前記光電気変換部から出力された無線信号を合成する合波部と
を備えたことを特徴とする光伝送システム。
【請求項３】
端末との間でそれぞれ無線通信を行う複数の子局と、前記複数の子局とそれぞれ光ファイバで接続された基地局とを備えた光伝送システムにおいて、
前記子局は、
受信した無線信号の受信レベルを検出する受信信号認識部と、
前記無線信号が入力され、前記受信信号認識部で検出された受信レベルに基づき、該無線信号を出力するスイッチ部と、
前記スイッチ部から出力された無線信号を光信号に変換して、前記光ファイバにする電気光変換部と
を備え、
前記基地局は、
前記複数の子局から伝送された光信号がそれぞれ入力され、入力された光信号を合成して無線信号に変換する光電気変換部と
を備えたことを特徴とする光伝送システム。
【請求項４】
前記スイッチ部は、入力された前記無線信号の受信レベルが、
第１の設定値以上となり、前記第１の設定値より低い第２の設定値以下となるまでの間、当該無線信号を出力することを特徴とする請求項１〜３の何れかに記載の光伝送システム。
【請求項５】
前記受信信号認識部は、入力された前記無線信号の受信レベルを平滑化する積分回路を備えたことを特徴とする請求項４記載の光伝送システム。
【請求項６】
前記積分回路は、前記受信レベルが第１の設定値以上となった後、前記無線信号の入力が停止したとき、第１の所定時間の間、該受信レベルが前記第２の設定値以上のレベルを保持する時定数が設定されることを特徴とする請求項５記載の光伝送システム。
【請求項７】
前記積分回路は、前記第１の所定時間を、伝送する情報のフレーム間隔時間とすることを特徴とする請求項６記載の光伝送システム。
【請求項８】
前記スイッチ部は、入力された前記無線信号の受信レベルが、
第１の設定値以上となり、第２の所定時間を経過し且つ前記第２の設定値以下となるまでの間、当該無線信号を出力することを特徴とする請求項１〜７の何れかに記載の光伝送システム。
【請求項９】
前記スイッチ部は、前記第２の所定時間を、伝送する情報の任意のフレーム数を伝送する時間とすることを特徴とする請求項８記載の光伝送システム。
【発明の詳細な説明】
【技術分野】
【０００１】
本発明は、光伝送システムに関し、特に、複数の子局とそれぞれ光ファイバで接続された基地局とを備えた光伝送システムに関する。
【背景技術】
【０００２】
従来の光伝送システムは、例えば「子局である複数の無線基地局が幹線光ファイバを介して親局と接続されてなる信号伝送装置において、前記無線基地局は、複数の無線基地局と共に無線基地局群を作り、１つの無線基地局群は、複数の無線受信部と、前記無線受信部で受信した無線信号を周波数変換する複数の周波数変換部と、前記周波数変換部で周波数変換された出力信号を光信号に変換する複数の光信号変換部と、前記複数の光信号変換部からの出力信号を合成する光カプラと、前記光カプラの出力信号を幹線光ファイバに供給する合波器とを備え、前記親局は、前記幹線光ファイバを介して前記合波器から供給された光信号を分波する分波器と、前記分波器と接続され、分波された光信号を電気信号に変換する光受信器と、前記光受信器と接続され、変換された電気信号を互いに異なる周波数の電気信号に分離する分離手段とを備え、前記１つの無線基地局群の各光信号変換部で変換される光信号の波長は互いに異なると共に前記合波器の光透過特性を考慮した１つの波長幅の中に含まれており、前記親局内の前記分離手段で分離された信号の各周波数は、前記無線基地局群の各周波数変換部で周波数変換された後の信号の周波数に対応することを特徴とする信号伝送装置。」が提案されている（例えば、特許文献１参照）。
【０００３】
【特許文献１】特開２００４−３６４０２９号公報（請求項１）
【発明の開示】
【発明が解決しようとする課題】
【０００４】
しかしながら、従来の光伝送システムにおいては、複数の子局から伝送された信号を合成する際、それぞれの子局から受信した信号の雑音も合成され、子局数に応じた雑音加算が起こり、ＣＮＲ（Carrier to Noise Ratio：搬送波対雑音比）が低下する、という問題点があった。
【０００５】
また、通信品質を保つためには、このＣＮＲが所定値以上に保つ必要があるため、雑音加算によるＣＮＲの低下により、光伝送システムにおける基地局に対する子局の接続数が制限される、という問題点があった。
【課題を解決するための手段】
【０００６】
本発明に係る光伝送システムは、端末との間でそれぞれ無線通信を行う複数の子局と、前記複数の子局とそれぞれ光ファイバで接続された基地局とを備えた光伝送システムにおいて、前記子局は、受信した無線信号を光信号に変換して、前記基地局に伝送する電気光変換部を備え、前記基地局は、複数の前記子局から伝送された光信号を、それぞれ無線信号に変換する光電気変換部と、前記無線信号の受信レベルを検出する受信信号認識部と、前記無線信号が入力され、前記受信信号認識部で検出された受信レベルに基づき、該無線信号を出力するスイッチ部と、前記スイッチ部から出力された無線信号を合成する合波部とを備えたものである。
【０００７】
また、前記スイッチ部は、入力された前記無線信号の受信レベルが、第１の設定値以上となり、前記第１の設定値より低い第２の設定値以下となるまでの間、当該無線信号を出力するものである。
【０００８】
また、前記受信信号認識部は、入力された前記無線信号の受信レベルを平滑化する積分回路を備えたものである。
【０００９】
また、前記スイッチ部は、入力された前記無線信号の受信レベルが、第１の設定値以上となり、第２の所定時間を経過し且つ前記第２の設定値以下となるまでの間、当該無線信号を出力するものである。
【発明の効果】
【００１０】
本発明は、子局が受信した無線信号の受信レベルに基づいて、スイッチ部から出力された無線信号を合成することにより、子局が無線端末と無線通信を行っていないときの雑音加算を防止し、ＣＮＲの低下を抑制することができる。
【発明を実施するための最良の形態】
【００１１】
実施の形態１．
図１は実施の形態１に係る光伝送システムの構成図である。光伝送システムは、例えば、無線信号を光信号に変換した後、光ファイバーで伝送し、その光信号を無線信号に復元する光無線融合システム（ＲＯＦ：Radio on Fiber）により無線伝送通信を行うものである。図に示すように、本実施の形態における光伝送システムは、基地局１と、この基地局１とそれぞれ光ファイバで接続された複数の子局２−１〜２−４（以下、区別しないときは単に子局２という）とにより構成され、子局２は、本発明における端末である無線端末３と無線通信が可能な通信エリア４−１〜４−４（以下、区別しないときは単に通信エリア４という）内において、１又は複数の無線端末３と無線通信を行い、受信した無線信号を光信号に変換し、光ファイバを介して基地局１へ伝送し、基地局１は、それぞれの子局２から伝送された光信号を無線信号に変換し、変換された無線信号を合成する。
【００１２】
尚、本実施の形態１では、子局２の数が４つの場合を説明するが、これに限らず、任意の子局数でよい。また、無線端末３は、例えばパーソナルコンピュータなどの情報処理端末、又は、列車などの移動体に構築された無線機器などを含み、子局２と無線端末３との無線通信方式は、例えばＬＡＮ（Local Area Network：IEEE802.11a/b/g準拠）、Ｂｌｕｅｔｏｏｔｈ（登録商標）など、又は、高速大容量伝送に適したミリ波の周波数帯域の電波を用いて広帯域無線通信を行うミリ波無線通信など、任意の無線通信方式でよい。
【００１３】
基地局１は、ベースバンド信号を入出力するベースバンド部１１と、このベースバンド部１１から出力されたベースバンド信号を、無線伝送するための無線信号に変調する無線部１２と、無線部１２から入力された無線信号（電気信号）を光信号に変換する電気光変換器１３（Ｅ／Ｏ）と、電気光変換器１３により変換された光信号を分配する光分配器１４とを備え、分配された光信号が光ファイバを介して子局２に伝送される（下り回線）。さらに、基地局１は、複数の子局２から光ファイバを介して伝送（上り回線）された光信号を、それぞれ無線信号（電気信号）に変換する光電気変換器１９−１〜１９−４（Ｏ／Ｅ）と、例えばＲＳＳＩ（Received Signal Strength Indicator）を用いて無線信号の受信レベルを検出する受信信号認識部１８と、光電気変換器１９−１〜１９−４で変換された無線信号が受信信号認識部１８を介してそれぞれ入力され、受信信号認識部１８で検出された受信レベルに基づき、受信信号認識部１８と無線部合波器１６（後述）とを接続する信号ラインをＯＮ／ＯＦＦして、各無線信号を出力するスイッチ部１７と、スイッチ部１７から出力された各無線信号を合成する合波部である無線部合波器１６と、入力された無線信号をベースバンド信号に復調してベースバンド部１１に入力する無線部１５とにより構成される。
【００１４】
子局２は、基地局１から光ファイバを介して伝送された光信号を無線信号に変換する光電気変換器２１（Ｏ／Ｅ）と、送信する無線信号又は受信した無線信号を増幅する高周波ＡＭＰ２３と、無線信号を送受信するアンテナ部２４と、受信した無線信号を光信号に変換して、基地局１に伝送する電気光変換器２２（Ｅ／Ｏ）とにより構成される。
【００１５】
このような構成により、無線端末３は、各子局２が無線通信可能な通信エリア４内に設置され又は通信エリア４内を移動しながら、子局２と無線通信を行う。
【００１６】
次に、無線端末３が、子局２−１の通信エリア４−１外から通信エリア４−１内に移動（エリアイン）し、再び、通信エリア４−１外へ移動（エリアアウト）した場合における動作について説明する。尚、他の子局２は無線端末３と通信を行っていないものとする。
【００１７】
図２は実施の形態１に係る受信レベルに対するスイッチ部の動作を示す図である。
まず、子局２−１は、エリアインした無線端末３から送信された無線信号をアンテナ部２４により受信し、高周波ＡＭＰ２３により増幅した無線信号を、電気光変換器２２により光信号に変換し、光ファイバを介して、基地局１へ伝送する。基地局１の光電気変換器１９−１は、子局２−１の電気光変換器２２から伝送された光信号を無線信号に変換して受信信号認識部１８へ入力する。図２に示すように、無線信号が入力された受信信号認識部１８は、当該無線信号の受信レベルを検出して、スイッチ部１７は、この受信レベルが第１の設定値である設定値Ａ以上となったとき、光電気変換器１９−１からの入力に対する出力をＯＮにする。スイッチ部１７から出力された無線信号は、無線部合波器１６を介して、無線部１５によりベースバンド信号に復調されてベースバンド部１１に入力される。次に、無線端末３がエリアアウトした場合、図２に示すように、スイッチ部１７は、子局２−１からの無線信号の受信レベルが第２の設定値である設定値Ｂ以下となったとき、光電気変換器１９−１からの入力に対する出力をＯＦＦにする。
【００１８】
このような動作により、子局２から伝送された無線信号の受信レベルが設定値Ａ以上となったとき、無線部合波器１６へ無線信号が入力され、受信レベルが設定値Ｂ以下となったとき、無線部合波器１６への入力が遮断されるので、無線端末３と無線通信を行っていない子局２から伝送される上り回線での雑音加算を防ぐことが可能となる。
【００１９】
尚、上記説明では、通信エリア４−１内において子局２−１と無線端末３とが通信する場合を説明したが、他の子局２においても同様の動作を行う。
【００２０】
次に、無線端末３が各子局２の通信エリア４−１〜４−４内を移動しながら無線通信を行う場合の動作を説明する。
【００２１】
図３は実施の形態１に係る無線端末の移動に伴う受信レベルに対するスイッチ部の動作を示す図である。また、図３（ａ）は、各子局２からの無線信号が入力された受信信号認識部１８が検出した受信レベルを示す図、図３（ｂ）は、スイッチ部１７の、各子局２に対応する信号ラインのスイッチ状態を示す図である。まず、通信エリア４−１にエリアインした無線端末３は、上述した動作により、子局２−１に対する受信レベルが設定値Ａ以上となったとき、子局２−１に対応する信号ラインがＯＮとなり、当該無線信号が出力される。次に、無線端末３が、通信エリア４−１から通信エリア４−２へ移動するのに伴い、図３（ａ）に示すように、子局２−１に対する受信レベルが降下すると共に、子局２−２に対する受信レベルが上昇し、子局２−２に対する受信レベルが設定値Ａ以上となったとき、子局２−２に対応する信号ラインがＯＮとなる。さらに、無線端末３の移動に伴い、子局２−１に対する受信レベルが降下して、設定値Ｂ以下となったとき、子局２−１に対する信号ラインがＯＦＦとなる。同様に、通信エリア４−２から通信エリア４−３、通信エリア４−３から通信エリア４−４へ移動したとき、図３（ｂ）に示すように、順次、対応する信号ラインがＯＮ又はＯＦＦし、無線端末３が無線通信を行っている子局２に対応する信号ラインの無線信号の出力が無線部合波器１６に入力される。
【００２２】
このような動作により、無線端末３が、各子局２の通信エリア４を移動しながら無線通信を行う場合、無線端末３と通信を行っている子局２に対応する信号ラインが順次ＯＮとなり、当該無線信号が無線部合波器１６に入力され、無線端末３と無線通信を行っていない子局２の信号ラインはＯＦＦとなり、無線部合波器１６への入力が遮断されるので、雑音加算を防ぐことが可能となる。
【００２３】
次に、無線端末３との無線通信において、バースト送受信など、フレーム毎に一旦通信が途切れる場合における本実施の形態１の動作について説明する。
【００２４】
図４は実施の形態１に係るフレーム間隔と受信信号認識部のスイッチング動作を示す図である。図に示すように、フレーム毎に一旦通信が途切れる間隔（本発明では、フレーム間隔と称する）においては、受信信号認識部１８が検出する受信レベルは低下し、上述の動作と同様に、受信レベルが設定値Ｂ以下となったとき、当該受信信号に対応する信号ラインがＯＦＦとなり、次フレームの送信により受信レベルが上昇して設定値Ａ以上となったときに、再度、信号ラインがＯＮとなり、無線部合波器１６に当該無線信号が入力される。
【００２５】
このような動作により、バースト送受信など、フレーム毎に一旦通信が途切れる場合において、１フレーム毎に当該無線信号の信号ラインのＯＮ／ＯＦＦを切り替えを行うことにより、フレーム間隔での雑音加算を防ぐことが可能となる。
【００２６】
以上のように本実施の形態１においては、子局２は、無線端末３から受信した無線信号を光信号に変換して基地局１に伝送し、基地局は、複数の子局２から伝送された光信号を、それぞれ無線信号に変換し、この無線信号の受信レベルに基づいて、無線部合波器１６へ入力する信号ラインをＯＮ／ＯＦＦ切換することにより、無線端末３と無線通信を行っていない子局２から伝送される上り回線での雑音加算を防止し、ＣＮＲの低下を抑制することができる。
【００２７】
また、１フレームごとに一旦通信が途切れるバースト送受信などの場合、１フレーム毎に信号ラインのＯＮ／ＯＦＦの切換を行うので、フレーム間隔での雑音加算を防ぐと共に、複数の無線端末３が通信エリア４内に存在するとき、１台の無線端末３が１フレーム伝送後、他の無線端末３への切換を速やかに行うことができる。
【００２８】
さらに、ＣＮＲの低下を抑制することにより、上り回線での合波による通信劣化を抑制することができるので、子局２の接続数を増加させることが可能となる。即ち、ＲＯＦ分配数の拡大を図ることができ、ＲＯＦ光ファイバ長の長距離化やＲＯＦ無線区間での通信エリアの拡大を図ることができる。
【００２９】
実施の形態２．
図５は実施の形態２に係る光伝送システムの構成図である。図に示すように、本実施の形態２では、上記実施の形態１の構成に加え、受信信号認識部１８に積分回路１８１を設け、入力された無線信号の受信レベルを平滑化する。尚、その他の構成は上記実施の形態１の構成と同様である。
【００３０】
上記実施の形態１で説明した、バースト送受信など、フレーム毎に一旦通信が途切れる場合における本実施の形態２の動作について説明する。
【００３１】
図６は実施の形態２に係る受信レベルに対するスイッチ部の動作を示す図である。図に示すように、積分回路１８１がない場合は、上述の通り、フレーム間隔で受信レベルが設定値Ｂ以下となるが、積分回路１８１により、受信信号認識部１８により検出した受信レベルを平滑化することにより、フレーム間隔において設定値Ｂ以上に保持され、フレーム間隔においても継続して信号ラインがＯＮ状態を維持する。また、無線端末３がエリアアウトしたときには、積分回路１８１の時定数により定まる所定時間経過により、受信レベルが設定値Ｂ以下となり当該信号ラインをＯＦＦとなる。ここで、積分回路１８１は、受信レベルが設定値Ａ以上となった後、無線信号の入力が停止したとき、第１の所定時間であるフレーム間隔時間の間、受信レベルが設定値Ｂ以上のレベルを保持する時定数が設定される。
【００３２】
以上のように本実施の形態２においては、バースト送受信など、フレーム毎に一旦通信が途切れる場合において、フレーム間隔で受信レベルが低下しても、当該信号ラインのＯＮ状態が保持され、信号ラインのＯＮ／ＯＦＦの頻度が多くなりすぎることがなく、安定的に光伝送を行うことができる。
また、無線端末３がエリアアウトした場合など、所定時間の間、無線信号が受信信号認識部１８に入力されない場合には、当該信号ラインをＯＦＦにすることができ、雑音加算を防ぐことが可能となり、ＣＮＲの低下を抑制することができる。
【００３３】
実施の形態３．
本実施の形態３におけるスイッチ部１７は、所定のフレーム数が伝送されるまでの間は、継続して無線信号を出力する。即ち、入力された無線信号の受信レベルが、設定値Ａ以上となり、伝送する情報の任意のフレーム数を伝送する時間である第２の所定時間を経過し、且つ、設定値Ｂ以下となるまでの間、無線信号を出力する。尚、その他の構成は上記実施の形態１の構成と同様である。
【００３４】
図７は実施の形態３に係る受信信号認識部のスイッチング動作を示す図である。図に示すように、スイッチ部１７は、受信レベルが設定値Ａ以上となった後、所定のフレーム数が伝送されるまでの間は、受信レベルが設定値Ｂ以下となった場合であっても、当該信号ラインをＯＦＦとせず、継続して無線信号を出力する。ここで、フレーム数は任意のフレーム数とし、例えばタイマにより任意のフレーム数が伝送される迄の時間をカウントする。尚、任意のフレーム数が伝送されるまでの判断は、これに限らず、フレームカウンタにより任意のフレーム数の伝送が完了したことを判断しても良い。
【００３５】
以上のように本実施の形態３においては、上記実施の形態１及び２の効果に加え、と同線信号を出力されるので、信号ラインのＯＮ／ＯＦＦの頻度が多くなりすぎることがなく、安定的に光伝送を行うことができると共に、複数の無線端末３が通信エリア４内に存在するとき、１台の無線端末３が所定のフレーム数を伝送後、他の無線端末３への切換を速やかに行うことができる。
【００３６】
尚、上記説明では、受信信号認識部１８に積分回路１８１を備えていない場合を説明したが、本発明はこれに限らず、受信信号認識部１８に積分回路１８１を備えて、受信レベルを平滑化すると共に、所定のフレーム数が伝送されるまでの間は、継続して無線信号を出力するようにしても良い。
【００３７】
実施の形態４．
上記実施の形態１〜３では、基地局１に受信信号認識部１８及びスイッチ部１７を備える構成を説明したが、本実施の形態４では、各子局２にそれぞれ、受信信号認識部及びスイッチ部を設ける構成とする。
【００３８】
図８は実施の形態４に係る光伝送システムの構成図である。図８において図１と同じ構成要素に対応するものには同一の符号を付して説明を省略する。図に示すように、子局２は、それぞれ、当該子局２が受信した無線信号の受信レベルを検出する受信信号認識部２７と、この受信信号認識部２７で検出された受信レベルに基づき、信号ラインをＯＮ／ＯＦＦして当該子局が受信した無線信号を電気光変換器２２へ出力するスイッチ部２６とを備え、基地局１は、光電気変換器１９の出力が直接、無線部合波器１６に入力される。その他の構成は上記実施の形態１と同様である。
【００３９】
このような構成により、子局２にそれぞれ設けられた受信信号認識部２７により無線信号の受信レベルを検出して、上記実施の形態１と同様の動作により、受信レベルが設定値Ａ以上となり設定値Ｂ以下となるまでの間、当該無線信号を電気光変換器２２へ出力する。
【００４０】
以上のように本実施の形態４においては、上記実施の形態１の効果に加え、子局２側に設けた受信信号認識部２７及びスイッチ部２６により、無線信号の出力を制御するので、子局２が無線端末３と無線通信を行っていないときに、子局２における電気光変換、光ファイバによる光伝送及び基地局１による光電気変換を行う必要がなく、省電力化を図ることができる。
【００４１】
尚、上記構成に加え、上述した実施の形態２及び３と同様に、受信信号認識部２７に積分回路を設けても良く、また、所定のフレーム数が伝送されるまでの間は継続して無線信号を出力するようにしても良い。
【００４２】
実施の形態５．
上記実施の形態１〜４では、基地局１に子局２に対応する光電気変換器１９−１〜１９−４を備え、光信号を無線信号に変換した後、無線部合波器１６により合成する構成を説明したが、本実施の形態５では、基地局１の光電気変換器１９により光信号を合成して、合成した光信号を無線信号に変換する。
【００４３】
図９は実施の形態５に係る光伝送システムの構成図である。図９において図１又は図８と同じ構成要素に対応するものには同一の符号を付して説明を省略する。図に示すように、基地局１は、複数の子局２から伝送された光信号がそれぞれ入力され、入力された光信号を合成して無線信号に変換する光電気変換器１９を備え、この光電気変換器１９の出力が無線部１５へ入力される。その他の構成は上記実施の形態１又は４と同様である。
【００４４】
このような構成により、上述した実施の形態４と同様の動作により、子局２にそれぞれ設けられた受信信号認識部２７で検出された受信レベルが、設定値Ａ以上となり設定値Ｂ以下となるまでの間、各子局２が無線端末３から受信した無線信号が基地局１に伝送され、各子局から伝送された光信号が光電気変換器１９にそれぞれ入力される。光電気変換器１９は、入力された各光信号を合成した後、無線信号に変換して無線部１５に入力する。
【００４５】
以上のように本実施の形態５においては、上記実施の形態１〜４の効果に加え、基地局１に設けられた光電気変換器１９に各子局２から伝送された光信号がそれぞれ入力されるので、回路構成が簡略化することができる。
【００４６】
尚、上記構成に加え、上述した実施の形態２及び３と同様に、受信信号認識部２７に積分回路を設けても良く、また、所定のフレーム数が伝送されるまでの間は継続して無線信号を出力するようにしても良い。
【図面の簡単な説明】
【００４７】
【図１】実施の形態１に係る光伝送システムの構成図である。
【図２】実施の形態１に係る受信レベルに対するスイッチ部の動作を示す図である。
【図３】実施の形態１に係る無線端末の移動に伴う受信レベルに対するスイッチ部の動作を示す図である。
【図４】実施の形態１に係るフレーム間隔と受信信号認識部のスイッチング動作を示す図である。
【図５】実施の形態２に係る光伝送システムの構成図である。
【図６】実施の形態２に係る受信レベルに対するスイッチ部の動作を示す図である。
【図７】実施の形態３に係る受信レベルに対するスイッチ部の動作を示す図である。
【図８】実施の形態４に係る光伝送システムの構成図である。
【図９】実施の形態５に係る光伝送システムの構成図である。
【符号の説明】
【００４８】
１  基地局、２  子局、３  無線端末、４  通信エリア、１１  ベースバンド部、１２  無線部、１３  電気光変換器、１４  光分配器、１５  無線部、１６  無線部合波器、１７  スイッチ部、１８  受信信号認識部、１９  光電気変換器、２１  光電気変換器、２２  電気光変換器、２３  高周波ＡＭＰ、２４  アンテナ部、２６  スイッチ部、２７  受信信号認識部、１８１  積分回路。
【図１】
2008091984.tif 000003
【図２】
2008091984.tif 000004
【図３】
2008091984.tif 000005
【図４】
2008091984.tif 000006
【図５】
2008091984.tif 000007
【図６】
2008091984.tif 000008
【図７】
2008091984.tif 000009
【図８】
2008091984.tif 000010
【図９】
2008091984.tif 000011